(57)【要約】【課題】殺菌灯を使用しない場合に、風量の低下を抑制し、殺菌灯への塵埃等の付着を抑制する。【解決手段】本体ケース１内のフィルター体１３の下流側に、本体ケース１外と第１排気口２を介して連通する第１排気通路１９と、本体ケース１外と第２排気口２６を介して連通する第２排気通路２４とを形成し、第２排気通路２４内に平面殺菌灯２８を設けると共に、第１排気口２を開閉する風向変更体５１を設けたものである。【効果】風向変更体にて第１排気口を開いた場合には、殺菌灯が抵抗となって風量が低下することがなく、フィルター体による浄化効率を向上できると共に、殺菌灯への塵埃等の付着を抑制でき、殺菌時の効率を向上できる。【選択図】　　　図４
2004003744.tif 000002
【特許請求の範囲】
【請求項１】
本体ケース内のフィルター体の下流側に、前記本体ケース外と第１排気口を介して連通する第１排気通路と、前記本体ケース外と第２排気口を介して連通する第２排気通路とを形成し、第２排気通路内に殺菌灯を設けると共に、前記第１排気口を開閉する風向変更体を設けたことを特徴とする空気清浄機。
【請求項２】
前記風向変更体は、前記第１排気口から吹き出される空気を前記第２排気口側へ向けて変更することを特徴とする請求項１に記載の空気清浄機。
【請求項３】
本体ケース内のフィルター体の下流側に、前記本体ケース外と第１排気口を介して連通する第１排気通路と、該第１排気通路の途中より分岐する第２排気通路とを形成し、前記第１排気通路内の第１排気通路の分岐点より下流側に殺菌灯を設けると共に、前記第１排気口を開閉する風向変更体を設けたことを特徴とする空気清浄機。
【請求項４】
前記風向変更体を、モータにて動作させることを特徴とする請求項１乃至請求項３のいずれかに記載の空気清浄機。
【請求項５】
前記風向変更体を、任意の開閉角度で保持可能としたことを特徴とする請求項１乃至請求項４のいずれかに記載の空気清浄機。
【請求項６】
前記殺菌灯は、一面から紫外線を照射し、且つ、他面から可視光を照射する平面殺菌灯であることを特徴とする請求項１乃至請求項５のいずれかに記載の空気清浄機。
【請求項７】
前記本体ケースに、前記平面殺菌灯からの可視光を漏洩させる透光窓を形成したことを特徴とする請求項６に記載の空気清浄機。
【発明の詳細な説明】
【０００１】
【発明の属する技術分野】
本発明は、部屋の空気を浄化すると共に殺菌もできる空気清浄機に関する。
【０００２】
【従来の技術】
従来、この種の空気清浄機として特開平１０−２４９１６６号公報（Ｂ０１Ｄ５３／８６）に、本体ケースの正面側の吸気口から部屋の空気を吸い込むと共に本体ケースの側方に形成した吸気口から部屋の空気を吸い込み、側方の吸気口から吸い込んだ空気を殺菌灯を通過させて殺菌し、殺菌した空気を本体ケースの正面側から吸気した空気と共にフィルターを通過させて、塵埃や臭気成分等を除去し、排気口から本体ケース外に吹き出す空気清浄機が知られている。
【０００３】
しかしながら、殺菌灯を使用しない場合でも、側方の吸気口から本体ケース内に吸い込まれた空気が殺菌灯を通過するため、殺菌灯が抵抗となって風量が落ちるものであった。更に、殺菌灯の必要時以外でも殺菌灯を空気が通過することで、殺菌灯へ付着する塵埃等が多くなり、殺菌灯から照射される紫外線の量が少なくなり殺菌効率が低下するものであった。
【０００４】
【発明が解決しようとする課題】
本発明は、殺菌灯を使用しない場合に風量の低下を抑制でき、殺菌効率の低下を抑制できる空気清浄機を提供することを課題とする。
【０００５】
【課題を解決するための手段】
上記課題を解決するための手段は、本体ケース内のフィルター体の下流側に、前記本体ケース外と第１排気口を介して連通する第１排気通路と、前記本体ケース外と第２排気口を介して連通する第２排気通路とを形成し、第２排気通路内に殺菌灯を設けると共に、前記第１排気口を開閉する風向変更体を設けたものである。
【０００６】
これにより、風向変更体にて第１排気口を開いた場合には、殺菌灯のない第１排気通路から主として排気でき、殺菌灯が抵抗となって風量が低下することがなく、フィルター体による浄化効率を向上できる。更に、殺菌灯への塵埃等の付着がほとんどなく、殺菌時において殺菌灯から照射される紫外線の量の低下を抑制でき、殺菌効率を向上できる。更に、第１排気口を閉じた場合には、本体ケース内に吸い込んだ全ての空気が殺菌灯を設けた第２排気通路を通過するようになり、本体ケース内に吸い込んだ空気を効率よく殺菌することができる。
【０００７】
上記構成において、前記風向変更体は、前記第１排気口から吹き出される空気を前記第２排気口側へ向けて変更するものである。
【０００８】
これにより、第２排気口から吹き出される殺菌された空気を第１排気口から吹き出される空気に載せてより遠くまで送ることができる。
【０００９】
上記課題を解決するための第２の手段は、本体ケース内のフィルター体の下流側に、前記本体ケース外と第１排気口を介して連通する第１排気通路と、この第１排気口の途中より分岐する第２排気通路とを形成し、前記第１排気通路内の第１排気通路の分岐点より下流側に殺菌灯を設けると共に、前記第１排気口を開閉する風向変更体を設けたものである。
【００１０】
これにより、風向変更体にて第１排気口を開いた場合には、殺菌灯が設けられた第１排気通路から主として排気でき、空気中の雑菌を効率よく殺菌できる。更に、第１排気口を閉じた場合には、本体ケース内に吸い込んだ全ての空気が殺菌灯を通過することなく分岐点から第２排気通路に流入し、本体ケース外に排気されるので、殺菌灯が抵抗となって風量が低下することがなく、フィルター体による浄化効率を向上できると共に、殺菌灯への塵埃等の付着がほとんどなく、殺菌時において殺菌灯から照射される紫外線の量の低下を抑制でき、殺菌効率を向上できる。
【００１１】
そして、前記風向変更体を、モータにて動作させるものである。
【００１２】
これにより、風向変更体にて第１排気口及び第２排気口から排気される風量を自動的に調整することができる。
【００１３】
更に、前記風向変更体を、任意の開閉角度で保持可能とする。
【００１４】
これにより、第１排気口からの排気される空気を使用者の所望とする任意の風向に変更できると共に、第１排気口から排気される風量と第２排気口から排気される風量との割合を任意に変更することができる。
【００１５】
また、前記殺菌灯は、一面から紫外線を照射し、且つ、他面から可視光を照射する平面殺菌灯である。
【００１６】
これにより、一面からの紫外線を本体ケース内に吸い込まれる空気に照射して殺菌することができると共に、他面からの可視光を殺菌灯の動作を使用者に認識させるための光源として利用することが可能となる。
【００１７】
そして、前記本体ケースに、前記平面殺菌灯からの可視光を漏洩させる透光窓を形成する。
【００１８】
これにより、平面殺菌灯からの可視光を透光窓から漏洩させることで、使用者に平面殺菌灯の動作を認識させることができ、平面殺菌灯の動作を認識させるための光源を別途設けなくても動作の確認を行うことができ、コストを削減できる。
【００１９】
【発明の実施の形態】
本発明の第１の実施の形態の空気清浄機を図１乃至図７に基づき説明する。尚、以降、前カバー４側を正面とし、後ケース３側を背面とする。
【００２０】
１は合成樹脂にて形成された空気清浄機の本体ケースで、上面の背面側に格子状の第１排気口２が形成されると共に前面側を開口する後ケース３と、この後ケース３に着脱自在に装着される前カバー４と、前カバー４の上方側に位置する上ケース５とから構成されている。
【００２１】
前カバー４には吸気口となる複数のスリット状の孔６が形成されており、この孔６から本体ケース１内に空気が取り込まれる。また、前カバー４の下部には、後ケース３の前面側下部に形成された係止孔７に挿入される回動係止部８が形成され、前カバー４の左右両側には押しボタン９の操作により後述する仕切板１１に着脱自在に係止される係止爪（図示せず）が形成されている。
【００２２】
後ケース３の上面には、背面側に位置して第１排気口２が形成され、第１排気口２より正面側に位置して第２排気口２６が形成されている。また、後ケース３には渦巻き状のファンケーシング１０が一体に形成されている。
【００２３】
１１は本体ケース１内を前後に区画する仕切板で、仕切板１１の前カバー４側には前カバー４側を開口する凹状の収納部１２が形成され、この収納部１２の近傍には孔６から吸い込まれた空気中の塵埃を検知する図示しない塵埃センサが設けられている。
【００２４】
１３は収納部１２に着脱自在に装着されるフィルター体で、プレフィルター１４と、このプレフィルター１４の下流側に位置する集塵フィルター１５と、この集塵フィルター１５の下流側に位置する脱臭フィルター１６とから構成されている。
【００２５】
プレフィルター１４は格子状の合成樹脂製枠体１４ａとこの枠体１４ａ上に保持される不織布からなるフィルター素材（図示せず）とからなる。このプレフィルター１４の枠体１４ａの上部と下部には、仕切板１１の上部と下部に形成された係止穴１７に係止される突部１８が形成されている。
【００２６】
集塵フィルター１５は、エレクトレット化されたポリプロピレン不織布を襞折り状に加工してその周囲を紙製枠体に固着して形成されている。
【００２７】
脱臭フィルター１６には活性炭などが内蔵されており、空気中の臭気成分を除去する。
【００２８】
１９は仕切板１１の後ケース３側に位置する第１排気通路で、仕切板１１と前記ファンケーシング１０とで形成されており、側面視で第１排気口２へ向かってほぼ一直線上の通路となっている。この第１排気通路１９は第１排気口２を介して本体ケース１外と連通すると共に仕切板１１に形成した穴２０にて仕切板１１の前カバー４側の空間と連通する。
【００２９】
この第１排気通路１９内には、仕切板１１に取り付けられたモータ２１と、このモータ２１により駆動されるファン２２とで構成された送風機２３が配設されている。
【００３０】
５１は第１排気口２を開閉自在に覆う風向変更体で、一端側の略中央に手掛部５２が形成され、他端側の両側に側板５３が形成されており、この側板５３から外方に枢支軸５４が突出している。この枢支軸５４は第１排気口２の周縁の後述する第２排気口２６と反対側で枢支され、風向変更体５１が枢支軸５４を中心に回動すると共に、第２排気口２６に向けて第１排気口２からの排気の風向を変更するようになっている。また、側板５４の端部には、複数の係合部５５が形成されている。
【００３１】
５６は後ケースの第１排気口２近傍に取り付けられる保持部で、弾力性を有する保持片５７ａを具え、この保持片５７ａには前記複数の係合部５５に選択的に係合する突部５７が形成されており、風向変更体５１を、閉位置（図６の状態）から全開位置（図４の状態）の間で複数の開閉角度で保持できるようになっている。
【００３２】
２４は上ケース５と仕切板１１にて囲まれた第２排気通路で、第１排気通路１９から分岐し、側面から見て正面側へ屈曲して上方へ向かう通路となっている。この第２排気通路２４は、第１排気通路１９の第１排気口２側と分岐点となる孔２５にて連通すると共に、第１排気口２と別に本体ケース１の上面側に形成された第２排気口２６にて本体ケース１外に連通する。
【００３３】
２８は平面状に形成された平面殺菌灯で、一面２８ａからは殺菌効果が最大となる２５３．７ｎｍの波長の紫外線を、他面２８ｂから４５２ｎｍの波長の可視光を照射できるように以下に示すように構成されている。
【００３４】
図７に示すように、一面２８ａが紫外線を通過するＵＶ透過ガラス（バリュームソーダーガラス）２８ｃで形成され、他面２８ｂが紫外線は透過せずに可視光を透過し内面側に蛍光体２８ｄが塗布された通常のソーダーガラス２８ｅで形成されている。内部には水銀蒸気とアルゴンガスが封入され、両側に放電電極２８ｆ、２８ｇが配置されている。この放電電極２８ｆ、２８ｇ間に約１ｋＶの電圧を加えるとグロー放電が生じ、放電電極２８ｆ、２８ｇ間を流れる電子２８ｈがアルゴン原子２８ｉや水銀原子２８ｊと衝突する。水銀原子２８ｊと衝突することにより発生した紫外線２８ｋは、一面２８ａのＵＶ透過ガラス２８ｃを透過し、他面２８ｂのソーダーガラス２８ｅ側では発光体２８ｄに当たって可視光２８ｍを発生させる。即ち、平面殺菌灯２８は、ＵＶ透過ガラス２８ｃ側が紫外線発光面（一面）となり、ソーダーガラス２８ｅ側が可視光発光面（他面）となっている。
【００３５】
この平面殺菌灯２８は、両端に開口が形成された筒状の保持部２９に、その一方の開口に一面２８ａが、他方の開口に他面２８ｂが臨む状態で保持される。この保持部２９はその他方の開口周縁を後述する透光窓３６周縁近傍に当接する状態で上ケース５に取り付けらており、この際、平面殺菌灯２８の他面２８ｂが透光窓３６に対向するようになる。
【００３６】
平面殺菌灯２８の一面２８ａ側は、空間を有する状態で金属製のカバー３０にて覆われ、紫外線が直接本体ケース１に照射されるのを防止し、本体ケース１の劣化を防止している。このカバー３０には鎧戸状の通気穴３１が形成されており、内部に第２排気通路２４内の空気が通過できるようにしている。
【００３７】
３２は上ケース５に形成された操作部で、運転モードを切り替えるモード選択スイッチ３３と、運転停止を行うための停止スイッチ３４と、平面殺菌灯２８を手動で点灯、消灯させるためのスイッチ３５と、平面殺菌灯２８の可視光を漏洩させる透光窓３６とが設けられている。
【００３８】
モード切り換えスイッチ３３は、押す毎に、自動モード、微弱モード、弱モード、中モード、強モード、特強モードと切り換えられるようになっている。この際、ＬＥＤ３７、３８、３９、４０、４１、４２の点灯にて、どのモードに切り替わったかを使用者が認識できるようになっている。
【００３９】
自動モードでは集塵センサで検知された出力に基づいて送風機２３による風量が自動的に変更されると共に、平面殺菌灯２８の点灯と消灯が自動的に切り換えられる。詳述すれば、塵埃が多くなるに従い風量が多くなるように送風機２３のファン２２が駆動され、塵埃が予め設定された量より多いと判断した場合に、空気中に含まれる雑菌も多いと判断して、平面殺菌灯２８が点灯される。
【００４０】
微弱運転モード、弱モード、中モード、強モード及び特強モードでは、塵埃センサからの出力に関係なく、微弱運転モード、弱モード、中モード、強モード、特強モードの順に風量が多くなるようにそれぞれ風量が設定されて運転される。この際、平面殺菌灯２８の点灯と消灯は、使用者の判断に基づいてスイッチ３５の操作により切り換えられる。
【００４１】
次に動作について説明する。
【００４２】
モード選択スイッチ３３が押されると、ファン２２が駆動され、吸気口としての孔６から本体ケース１内に部屋の空気が吸い込まれ、吸い込まれた空気中の粗塵がプレフィルター１４で除去され、プレフィルター１４を通過した塵埃が集塵フィルター１５にて除去される。更に、脱臭フィルター１６にて臭気成分が除去される。そして、塵埃と臭気成分が除去された空気が穴２０から第１排気通路１９内に流入し、第１排気口２へ向けてファンケーシング１０にて案内される。
【００４３】
第１排気口２へ向けて案内された空気は、図４に示すように風向変更体５１を全開状態の位置で風向変更体５１の係合部５５を保持部５６の突部５７に係合させて保持した場合、図中の２点鎖線の矢印に示すように主として第１排気口２を介して本体ケース１外に吹き出される。そして、第１排気口２から吹き出される空気は風向変更体５１にて第２排気口２６寄りの斜め上方側に風向が変更される。
【００４４】
この場合、第１排気通路１９から排気される空気は、ほとんど第２排気通路２４へはいかず平面殺菌灯２８を通過することがないので、平面殺菌灯２８が抵抗となって排気の風量が低下することがなく、且つ、平面殺菌灯２８へ塵埃等が付着しにくい。従って、平面殺菌灯２８を使用しない場合には、風向変更体５１を全開状態にしておけば、風量がほとんど低下せず、フィルター体１３による塵埃と臭気の除去を効率よく行うことができる。更に、この際、平面殺菌灯２８への塵埃等の付着もほとんどなく、殺菌時において平面殺菌灯２８から照射される紫外線の量の低下を抑制でき、殺菌効率を向上できる。
【００４５】
この図４の状態より風向変更体５１を第１排気口２が閉じられる側（図５に示す位置）で係合部５５を突部５７に係止して保持した場合、フィルター体１３を通過した空気の多くの空気が第１排気口から吹き出され、風向変更体５１にて図４の状態より第２排気口２６側へ変更されると共に、第１排気口２から排気される際の抵抗が大きくなったことで、一部が第２排気通路２４へ流入する。
【００４６】
第２排気通路２４へ流入した空気はカバー３０の下方側の通気穴３１を介して平面殺菌灯２８の一面２８ａに沿って流れ、上方側の通気穴３１を通って第２排気口２６から吹き出される。
【００４７】
この際、平面殺菌灯２８が点灯している時、即ち、自動運転で所定の量より塵埃が多いと判断された時やその他のモードで使用者によりスイッチ３５が押された時には、平面殺菌灯２８を通過する空気に紫外線が照射され、殺菌された空気が部屋に戻される。これと同時に、平面殺菌灯２８の他面からの可視光は透光窓３６から漏洩し、この透光窓３６からの光により、使用者が平面殺菌灯２８の点灯を確認することができる。
【００４８】
また、第１排気口２から吹き出される空気は風向変更体５１で第２排気口２６側に向けて風向が変更されるので、第２排気口２６から排気される空気を第１排気口２から吹き出された空気に合流させることができ、殺菌された空気を第１排気口２から排気される空気の流れに載せてより遠くまで送ることができる。
【００４９】
また、上述の如く、フィルター体１３を通過した空気の全てではなく一部を第２排気通路２４に通過させるようにしたことで、平面殺菌灯２８が抵抗となって風量が落ちるのを抑制でき、集塵効率及び脱臭効率の低下を抑制できる。
【００５０】
この図５の状態より更に風向変更体５１を回動して第１排気口２を完全に閉じた位置（図６に示す位置）で係合部５５を突部５７に係止して保持した場合、フィルター体１３を通過した空気の全てが第２排気通路２４へ流入し、カバー３０の下方側の通気穴３１を介して平面殺菌灯２８の一面２８ａに沿って流れ、上方側の通気穴３１を通って第２排気口２６から吹き出される。
【００５１】
この際、平面殺菌灯２８を点灯させることで、平面殺菌灯２８を通過する空気に紫外線が照射され、殺菌された空気が部屋に戻される。これと同時に、平面殺菌灯２８の他面からの可視光は透光窓３６から漏洩し、この透光窓３６からの光により、使用者が平面殺菌灯２８の点灯を確認することができる。
【００５２】
この場合、フィルター体１３を通過したすべての空気に紫外線を照射して殺菌することができる。これにより、平面殺菌灯２８を通過することで、平面殺菌灯２８が抵抗となって風量の低下を生じるが、より多くの空気に紫外線を照射して雑菌が多いと思われる場合に効率よく殺菌することができる。
【００５３】
以上の如く、第１排気通路１９と第２排気通路２４とを形成し、第２排気通路２４に殺菌灯としての平面殺菌灯２８を設け、第１排気通路１９の第１排気口２に風向変更体５１を設け、風向変更体５１を全開状態とすることで、第１排気口２から主として排気し、この際、風量はほとんど低下せず、フィルター体１３による集塵効率と脱臭効率を向上できる。更に、この際、平面殺菌灯２８への塵埃の付着がほとんどなく、殺菌時において平面殺菌灯２８から照射される紫外線の量の低下を抑制でき、殺菌効率を向上できる。
【００５４】
そして、風向変更体５１を閉じる方向に回動させるに従い、第２排気通路へ流入する空気を多くすることができ、多くの空気を平面殺菌灯で殺菌することができる。
【００５５】
また、風向変更体５１を複数の開閉角度で保持可能としたことで、風向変更体５１の保持された位置に応じて第２排気通路２４を通過する空気の量を変更できる。従って、使用者が雑菌が多いと判断した場合に、より多くの空気が第２排気通路２４を通過するようにすることで、より多くの空気を殺菌できると共に、雑菌の量が少ないと判断した場合には、第２排気通路２４へ流入する風量を抑え、平面殺菌灯２８が抵抗となることで生じる風量の低下を抑制することができる。
【００５６】
また、殺菌灯として一面２８ａから紫外線が照射され他面２８ｂから可視光が照射される平面殺菌灯２８を使用したことで、一面２８ａからの紫外線により殺菌を行うことができると共に、他面２８ｂからの可視光を透光窓３６を介して本体ケース１外に漏洩させることで、平面殺菌灯２８の動作を使用者が認識でき、故障を確実に知ることができる。更に、平面殺菌灯２８から照射される可視光を利用しているので、平面殺菌灯２８の動作を使用者に確認させるための光源を別途設けなくても動作の確認を行うことができ、部品点数を削減でき、コストを削減できる。
【００５７】
尚、上記第１の実施の形態では風向変更体５１を手動で回動させる構成としたが、図８に示す第２の実施の形態の如く、モータ６０にて回動させるようにしても良い。
【００５８】
この場合、塵埃センサの出力に基づいて塵埃が多く雑菌が多く含まれると判断される場合に、モータ６０にて第１排気口２を閉じる方向に風向変更体５１を自動的に回動させて第２排気通路２４側への風量を多くし、多くの雑菌を殺菌することもできる。
【００５９】
また、風向変更変更体５１の係合部５５を保持部５６の突部５７に係合して複数の開閉角度において保持可能としたが、枢支軸５４とこの枢支軸５４が枢支される枢支穴の間で摩擦抵抗が生じるようにし、任意の位置で保持されるようにしても良い。
【００６０】
また、第１排気通路１９の途中より分岐して第２排気通路を形成し、平面殺菌灯２８を第２排気通路２４内に設けたが、平面殺菌灯を第１排気通路内の第１排気通路の分岐点より下流側に設けても良い。
【００６１】
この場合、風向変更体５１を全開状態とすることで、フィルター体１３を通過した空気を、平面殺菌灯２８が設けられた第１排気通路１９を主として通過させて第１排気口２から排気することができるので、フィルター体１３を通過した空気の多くに平面殺菌灯２８の紫外線を照射して効率よく殺菌できる。更に、殺菌の必要がないと判断した場合に、風向変更体５１にて第１排気口２を閉じることで、フィルター体１３を通過した空気の殆どを平面殺菌灯２８を通過することなく分岐点としての孔２５から第２排気通路２４を通過させて本体ケース１外に排気できる。これにより、平面殺菌灯２８が抵抗となって風量が低下することがほとんどなく、フィルター体１３による除塵効率及び脱臭効率を向上できる。更に、平面殺菌灯への塵埃の付着もほとんどなく、殺菌時において平面殺菌灯２８から照射される紫外線の量が低下するのを抑制でき、殺菌効率を向上できる。
【００６２】
また、第１及び第２の実施の形態に示すように、殺菌灯として、一面２８ａから紫外線が照射され、他面２８ｂから可視光が照射される平面殺菌灯２８を用いることが望ましいが、管状の殺菌灯を使用しても良い。
【００６３】
【発明の効果】
本発明の請求項１によれば、風向変更体で第１排気口を開いた場合には、殺菌灯のない第１排気通路から主として排気でき、風量の低下がほとんどなくフィルター体による浄化効率を向上できる共に、殺菌灯への塵埃等の付着がほとんどなく、殺菌を行う際の効率を向上できる。更に、第１排気口を閉じた場合には、本体ケース内に吸い込んだ全ての空気が殺菌灯を設けた第２排気通路を通過するようになり、効率よく殺菌することができる。
【００６４】
本発明の請求項２によれば、第２排気口から吹き出される殺菌された空気を第１排気口から吹き出される空気に載せてより遠くまで送ることができる。
【００６５】
本発明の請求項３によれば、風向変更体にて第１排気口を開いた場合には、殺菌灯が設けられた第１排気通路から主として排気でき、空気中の雑菌を効率よく殺菌できる。更に、第１排気口を閉じた場合には、本体ケース内に吸い込んだ全ての空気が分岐点から第２排気通路内に流入するので、殺菌灯が抵抗となって風量が低下することがほとんどなく、フィルター体による浄化効率を向上できると共に、殺菌灯への塵埃等の付着がほとんどなく、殺菌を行う際の効率を向上できる。
【００６６】
本発明の請求項４によれば、風向変更体にて第１排気通路を流れる風量を調整することができる。
【００６７】
本発明の請求項５によれば、第１排気口からの排気される空気を使用者の所望とする任意の風向に変更できると共に、第１排気口から排気される風量と第２排気口から排気される風量との割合を任意に変更することができる。
【００６８】
本発明の請求項６によれば、一面から照射される紫外線を本体ケース内に吸い込んだ空気に照射することで殺菌を行うことができると共に、他面から照射される可視光を殺菌灯の動作を使用者に認識させるための光源として利用することが可能となる。
【００６９】
本発明の請求項７によれば、平面殺菌灯から照射される可視光を透光窓から漏洩させることで、使用者に平面殺菌灯の動作を認識させることができ、別途平面殺菌灯の動作を認識させるための光源を設けなくても動作を確認でき、コストを低減できる。
【図面の簡単な説明】
【図１】本発明の実施の形態を示す空気清浄機の正面図である。
【図２】同空気清浄機の平面図である。
【図３】同空気清浄機において風向変更体の開状態での側面縦断面図である。
【図４】図３における要部拡大図である。
【図５】図４において風向変更体を開閉の中間位置に回動させて保持した場合の図である。
【図６】図４において風向変更体を閉状態の位置に回動させて保持した場合の図である。
【図７】同空気清浄機の平面殺菌灯の側面縦断面図である。
【図８】本発明の第２の実施の形態を示す空気清浄機の要部断面図である。
【符号の説明】
１　　　　本体ケース
２　　　　第１排気口
１３　　　　フィルター体
１９　　　　第１排気通路
２４　　　　第２排気通路
２５　　　　孔（分岐点）
２６　　　　第２排気口
２８　　　　平面殺菌灯
２８ａ　　　平面殺菌灯の一面
２８ｂ　　　平面殺菌灯他面
３６　　　　透光窓
５１　　　　風向変更体
６０　　　　モータ
【図１】
2004003744.tif 000003
【図２】
2004003744.tif 000004
【図３】
2004003744.tif 000005
【図４】
2004003744.tif 000006
【図５】
2004003744.tif 000007
【図６】
2004003744.tif 000008
【図７】
2004003744.tif 000009
【図８】
2004003744.tif 000010